(57)【特許請求の範囲】
【請求項１】
複数のゾーンから成り、各ゾーンに複数の無線ＬＡＮ装置を配置した無線ＬＡＮネットワークであって、
前記無線ＬＡＮ装置は、
複数のアンテナ素子を同一平面上に配列したアレイアンテナと、前記アレイアンテナのビームパターンを制御するビーム形成回路と、
前記アレイアンテナで受信した電波のレベルを検出する電波レベル検出回路と、
複数の他の無線ＬＡＮ装置からの信号を受信した際に、自装置が属するゾーンを規定するゾーンＩＤと前記複数の他の装置が有するゾーンＩＤとの比較を行い、ゾーンＩＤが同一の場合は自装置のゾーンＩＤを確定し、自装置のゾーンＩＤと前記複数の他の装置のゾーンＩＤが異なる場合は、前記複数の他の装置に向けて各無線ＬＡＮ装置に固有の端末ＩＤと確認であることを示すコードよりなる確認信号を送信し、この確認信号の応答として、各無線ＬＡＮ装置に固有の端末ＩＤと、応答であることを示すコードと、自分が属しているゾーンＩＤとよりなる応答信号を受信し、上記応答信号に含まれるゾーンＩＤの中から自装置と同一のゾーンＩＤがある場合、自装置のゾーンＩＤを確定し、自装置のゾーンＩＤが上記応答信号に含まれるゾーンＩＤの中に含まれない場合、自装置のゾーンＩＤを、上記応答信号に含まれるゾーンＩＤの中から一番多いゾーンＩＤに切り換えるゾーンＩＤ確定手段と、
前記ゾーンＩＤ確定手段により確定されたゾーンの中で、前記アレイアンテナの複数のビームパターンで受信した同一のゾーンＩＤを有する電波のレベル差により電波到来方向を決定し、前記アレイアンテナのビームパターン中心を決定するとともに、前記ビーム形成回路によりビームパターンを決定するように制御する制御部とを有することを特徴とする無線ＬＡＮネットワーク。
【発明の詳細な説明】
【０００１】
【産業上の利用分野】
本発明は、複数のコンピュータ同士を無線で接続する無線ＬＡＮ装置および無線ＬＡＮネットワークに関するものである。
【０００２】
【従来の技術】
近年、パソコンの普及率が高まると共に、オフィス内のコンピュータ同士を有機的につなぐＬＡＮ（ローカルエリアネットワーク）が普及しつつある。オフィス内コンピュータ同士を接続する伝送媒体としては有線と無線とがある。有線のＬＡＮの場合、同軸ケーブル、ツイストペアケーブル等の有体物でコンピュータ同士を接続するため、ビル等の壁に穴を開ける必要があるが、古いビルや貸ビル等では壁に穴を開けることができないので、床上げ等の大規模な敷設工事が必要となり、また、移設・増設の度に敷設工事が発生するため、コスト高になると共に工事期間中は仕事ができないという問題点を有していた。
【０００３】
このため、ケーブルの代わりに光や電波を用いることにより、敷設工事の手間やコストを無くし、また自由にネットワークが構築できる無線ＬＡＮ装置が注目をあびてきている。無線ＬＡＮ装置は、上記特徴と共に、スペクトル拡散技術の利用による耐環境性（例えば耐ノイズ性）、信頼性の向上によって、一般のオフィスだけにとどまらず、工場等の悪環境下におけるネットワークの構築にも大いに利用されるようになってきた。
【０００４】
図４は従来の無線ＬＡＮネットワークを示す構成図であり、図５は従来の無線ＬＡＮ装置とパソコンとから成る端末装置を示す構成図、図６は従来の無線ＬＡＮ装置を示すブロック図である。図４において、Ａ、Ｂはゾーン、ｌ、ｍ、ｎは端末装置を示し、図５において、１はアンテナを有するアンテナ部、２はアンテナ部１を介して送受信を行なうコントロール部、２８はアンテナ部１とコントロール部２とを接続する接続ケーブル、２９はコントロール部２の後述するＰＣＭＣＩＡ等のカードインタフェース回路１４と接続されるパソコンであり、アンテナ部１とコントロール部２と接続ケーブル２８とは無線ＬＡＮ装置を構成し、無線ＬＡＮ装置とパソコン２９とは端末装置を構成する。
【０００５】
また図６において、１は後述のアンテナ３０を有するアンテナ部、２はアンテナ部１を介して送受信を行なうコントロール部、６、６ａ〜６ｆは不要な周波数を除去するバンドパスのフィルタ、７は送信・受信を切り換えるＲＦスイッチ、８は受信用ＲＦ信号を増幅するためのアンプ、９ａ、９ｃ、９ｄは周波数変換のために２信号を混合するミキサ、９ｂはスペクトル拡散信号を得るために２信号を混合するミキサ、１０は受信用ＩＦ信号を増幅するためのアンプ、１１はスペクトル拡散信号を復調するためのＳＡＷマッチドフィルタ、１２は復調された信号をシリアルデータに変換するための判定回路、１３はデータの加工や各部の制御を行なうためのＣＰＵ、１４はパソコン２９とデータの受渡しを行なうカードインタフェース回路、１５はシリアルデータをパラレルデータに変換する変換回路、１６は変換回路１５からのパラレルデータにＱＰＳＫ等の一次変調を行う変調回路、１７はスペクトル拡散を行うためのＰＮ（疑似雑音）符号を発生するＰＮ発生回路、１８ａはスペクトル拡散信号を増幅するためのアンプ、１８ｂはＩＦ信号を増幅するためのアンプ、１９はＩＦ信号を発生するためのＶＣＯ、２０はＲＦ信号すなわち送信信号を発生するためのＶＣＯ、２１はＲＦ信号を増幅するパワーアンプ、３０はヘリカルアンテナ、平面アンテナ等の無指向性アンテナである。
【０００６】
図４に示すように、無線ＬＡＮネットワークはゾーンＡ、Ｂのように複数のゾーンで構成されており、各ゾーンはそれぞれ複数の端末装置をそのゾーン内に有している。各ゾーン内の端末装置つまり無線ＬＡＮ装置は他の端末装置つまり他の無線ＬＡＮ装置と通信できるようにゾーン識別ＩＤと端末識別ＩＤとを持ち、そのゾーン内の端末装置か他のゾーン内の端末装置かを識別できるようになっている。
【０００７】
以上のように構成された無線ＬＡＮ装置について、図６を用いてその動作を説明する。まず送信時の動作について説明する。カードインタフェース回路１４は外部のパソコン２９からデータを入力する。この入力データはＣＰＵ１３によってパケットに加工され、ＩＤ等の無線情報を付加され、変換回路１５に出力される。変換回路１５では、ＣＰＵ１３から送られてきたパラレルデータをシリアルデータに変換する。変換によって得られたシリアルデータは変調回路１６で位相変調され、アナログの位相変調信号となる。位相変調信号はＰＮ発生回路１７で発生したＰＮ符号とミキサ９ｂによってスペクトル拡散され、スペクトル拡散信号を得る。ミキサ９ｂから出力されるスペクトル拡散信号はフィルタ６ｄによってノイズが除去され、アンプ１８ａで増幅される。アンプ１８ａの増幅信号はＶＣＯ１９で発生する１３２ＭＨｚの周波数信号とミキサ９ｃで混合され、アップコンバート（より高周波に変換すること）される。アップコンバートされた信号は再びフィルタ６ｅによってノイズが除去され、アンプ１８ｂで増幅される。アンプ１８ｂの増幅信号はＶＣＯ２０で発生する２４８４ＭＨｚのＲＦ信号とミキサ９ｄで混合され、アップコンバートされる。アップコンバートされた信号はフィルタ６ｆによってノイズが除去され、パワーアンプ２１で必要な送信電力に増幅される。パワーアンプ２１の電力増幅信号はＲＦスイッチ７を経由してフィルタ６によってノイズが除去され、アンテナ部１のアンテナ３０を介して、電波信号として送出される。
【０００８】
次に、受信時の動作について説明する。アンテナ部１のアンテナ３０を介してコントロール部２に入力された受信信号は、フィルタ６によってノイズが除去され、ＲＦスイッチ７を経由して、フィルタ６ａに入力される。フィルタ６ａに入力された受信信号はノイズが除去され、アンプ８によって信号処理できるレベルまで増幅される。アンプ８の増幅信号は再びフィルタ６ｂによってノイズが除去され、ＶＣＯ２０で発生する２４８４ＭＨｚのＲＦ信号とミキサ９ａで混合され、ダウンコンバート（より低い周波数に変換すること）される。ダウンコンバートされた信号はフィルタ６ｃによってノイズが除去され、アンプ１０で増幅される。アンプ１０の増幅信号はＳＡＷマッチドフィルタ１１によってＳＳ復調（スペクトル拡散復調）され、判定回路１２で位相復調されて位相復調デジタル信号となる。位相復調デジタル信号は変換回路１５でシリアルデータからパラレルデータに変換され、ＣＰＵ１３に送られる。ＣＰＵ１３では送られてきたパラレルデータの無線情報からアドレス、ＩＤ等の判定を行う。アドレスが一致したならば、データはＣＰＵ１３からカードインタフェース回路１４を経由して外部のパソコン２９に送られ、一致しないデータは破棄される。
【０００９】
【発明が解決しようとする課題】
しかしながら、上記従来の無線ＬＡＮ装置では、図４のゾーンＡの端末装置ｌが同一ゾーンの端末装置ｍからの送信信号を受信している時、ゾーンＢの端末装置ｎが送信していると、ゾーンＢの端末装置ｎがゾーンＡの端末装置ｍより近いので、ゾーンＢの端末装置ｎの送信信号がノイズとなってゾーンＡの端末装置ｍからの送信信号が受信できなくなるという問題点を有していた。
【００１０】
本発明は上記従来の問題点を解決するもので、他のゾーン内の端末装置すなわち他のゾーン内の無線ＬＡＮ装置からの送信信号の影響を受けず、また他のゾーン内の端末装置すなわち他のゾーン内の無線ＬＡＮ装置に電波妨害を与えない無線ＬＡＮ装置を提供すること、および、他のゾーン内の無線ＬＡＮ装置からの送信信号の影響を受けず、また他のゾーン内の無線ＬＡＮ装置に電波妨害を与えない無線ＬＡＮネットワークを提供することを目的とする。
【００１１】
【課題を解決するための手段】
この目的を達成するために本発明の無線ＬＡＮネットワークは、複数のゾーンから成り、各ゾーンに複数の無線ＬＡＮ装置を配置した無線ＬＡＮネットワークであって、前記無線ＬＡＮ装置は、複数のアンテナ素子を同一平面上に配列したアレイアンテナと、前記アレイアンテナのビームパターンを制御するビーム形成回路と、前記アレイアンテナで受信した電波のレベルを検出する電波レベル検出回路と、複数の他の無線ＬＡＮ装置からの信号を受信した際に、自装置が属するゾーンを規定するゾーンＩＤと前記複数の他の装置が有するゾーンＩＤとの比較を行い、ゾーンＩＤが同一の場合は自装置のゾーンＩＤを確定し、自装置のゾーンＩＤと前記複数の他の装置のゾーンＩＤが異なる場合は、前記複数の他の装置に向けて各無線ＬＡＮ装置に固有の端末ＩＤと確認であることを示すコードよりなる確認信号を送信し、この確認信号の応答として、各無線ＬＡＮ装置に固有の端末ＩＤと、応答であることを示すコードと、自分が属しているゾーンＩＤとよりなる応答信号を受信し、上記応答信号に含まれるゾーンＩＤの中から自装置と同一のゾーンＩＤがある場合、自装置のゾーンＩＤを確定し、自装置のゾーンＩＤが上記応答信号に含まれるゾーンＩＤの中に含まれない場合、自装置のゾーンＩＤを、上記応答信号に含まれるゾーンＩＤの中から一番多いゾーンＩＤに切り換えるゾーンＩＤ確定手段と、前記ゾーンＩＤ確定手段により確定されたゾーンの中で、前記アレイアンテナの複数のビームパターンで受信した同一のゾーンＩＤを有する電波のレベル差により電波到来方向を決定し、前記アレイアンテナのビームパターン中心を決定するとともに、前記ビーム形成回路によりビームパターンを決定するように制御する制御部とを有することを特徴とする。
【００１２】
請求項２記載の無線ＬＡＮ装置は、複数のアンテナ素子を同一平面上に配列したアレイアンテナと、アレイアンテナのビームパターンを制御するビーム形成回路と、アレイアンテナで受信した電波のレベルを検出する電波レベル検出回路と、アレイアンテナの複数のビームパターンで受信した電波のレベル差により電波到来方向を決定し、アレイアンテナのビームパターン中心を決定した電波到来方向に向ける制御部とを有する構成を有している。
【００１３】
請求項３記載の無線ＬＡＮネットワークは、複数のゾーンから成り、各ゾーンが請求項１又は請求項２記載の無線ＬＡＮ装置の複数台を有する構成を有している。
【００１４】
【作用】
この構成によって、無線ＬＡＮ装置はそのビームパターンの中心が受信している同一ゾーン内の無線ＬＡＮ装置の方向へ向くように指向性（ビームパターン）が制御されるので、他のゾーン内の無線ＬＡＮ装置からの電波妨害を受けることがなくなる。また、指向性の制御により他のゾーン内への電波の送信レベルを抑制することができるので、他のゾーン内の無線ＬＡＮ装置への電波妨害を防止できる。
【００１５】
【実施例】
（実施例１）
以下、本発明の一実施例について図を用いて説明する。
【００１６】
図１は本発明の一実施例に係る無線ＬＡＮ装置を示すブロック図である。図１において、６、６ａ〜６ｆはバンドパスのフィルタ、７はＲＦスイッチ、８、１０、１８ａ、１８ｂはアンプ、９ａ〜９ｄはミキサ、１１はＳＡＷマッチドフィルタ、１２は判定回路、１３はＣＰＵ（制御部）、１４はカードインタフェース回路、１５は変換回路、１６は変調回路、１７はＰＮ発生回路、１９、２０はＶＣＯ、２１パワーアンプであり、これらは図６と同様のものなので、同一符号を付して説明は省略する。１Ａは後述のアレイアンテナ３を有するアンテナ部、２Ａはアンテナ部１Ａを介して送受信を行うコントロール部、３は無線信号の送受信を行うアンテナ素子３ａ〜３ｉを配列したアレイアンテナ、４はアレイアンテナ３の指向性（ビームパターン）を決定するビーム形成回路、５は受信電波のレベルを検出するレベル検出回路である。
【００１７】
図２（ａ）は本発明の一実施例に係るアレイアンテナ３を構成するアンテナ素子３ａ〜３ｉの配列を示す素子配列図であり、図２（ｂ）はアレイアンテナ３のビームパターンの一例を示すパターン図である。図２（ａ），（ｂ）において、２３は誘電体基板、２４はｘｙｚ各軸直交の座標系、２５はｘ軸を中心とするθ＝１３０度の指向角のビームパターンであり、アンテナ素子３ａ〜３ｉは座標系２４のｘ軸及びｙ軸方向に３個ずつ配列され、合計９個である。また、各アンテナ素子３ａ〜３ｉの間隔は受信する電波の波長の整数分の１の波長で規定する。例えば受信する電波の周波数が２．４ＧＨｚで１／４波長の場合は３．１２５ｃｍである。
【００１８】
図３は本発明の一実施例に係るビーム形成回路４を示すブロック図である。図３において、２６ａ〜２６ｉはアンテナ素子３ａ〜３ｉに対応して位相およびゲインを個別に設定する位相・ゲインコントロール回路、２７は位相・ゲインコントロール回路２６ａ〜２６ｉで調整された信号を合成する合成回路である。
【００１９】
以上のように構成された無線ＬＡＮ装置について、その動作を説明する。送信又は受信の準備として、制御部としてのＣＰＵ１３は、アレイアンテナ３のビームパターン（指向性）をパラメータとして（たとえば指向角およびパターン中心線のｘ軸に対する角度をパラメータとして）、各位相・ゲインコントロール回路２６ａ〜２６ｉの定数を予め記憶しておく。
【００２０】
まず送信時の動作について説明する。カードインタフェース回路１４により外部のパソコン２９からデータを入力し、諸回路を経て、パワーアンプ２１から出力された電力増幅信号がＲＦスイッチ７を経由してフィルタ６によってノイズが除去されるまでは従来の動作と同様であるので、上記諸回路の動作説明は省略する。フィルタ６でノイズ除去された電力増幅信号はビーム形成回路４でアンテナ素子３ａ〜３ｉの９ラインに分割され、それぞれのラインの電力増幅信号は重み付けされ、アレイアンテナ３に送られる。アレイアンテナ３は上記電力増幅信号を電波に変換して送信する。ビーム形成回路４における各ラインの電力増幅信号の重み付けは、ＣＰＵ１３からの指令により、位相・ゲインコントロール回路２６ａ〜２６ｉの位相およびゲインを制御することにより行う。これによりアレイアンテナ３の送信時のビームパターン（指向性）を制御することができる。
【００２１】
次に、受信時の動作について説明する。アンテナ部１のアレイアンテナ３の各アンテナ素子３ａ〜３ｉで受信された信号はそれぞれビーム形成回路４に送られる。ビーム形成回路４では、それぞれのラインの受信信号に重み付けを行った後、９つの信号を合成回路２７で合成し、一つの受信信号とする。ビーム形成回路４における各ラインの受信信号の重み付けは、ＣＰＵ１３からの指令により、位相・ゲインコントロール回路２６ａ〜２６ｉの位相およびゲインを制御することにより行う。これによりアレイアンテナの受信時のビームパターン（指向性）を制御することができる。レベル検出回路５は受信の都度、合成した受信信号レベルを検出し、その検出したレベルを示すデータをＣＰＵ１３へ送る。合成した受信信号はフィルタ６によってノイズが除去され、ＲＦスイッチ７を経由して、フィルタ６ａに入力される。フィルタ６ａ以降の諸回路における動作は従来と同様であるので、その説明は省略する。
【００２２】
次に、ビームパターン（指向性）の設定について説明する。ビームパターンは図２（ｂ）のビームパターン２５のｘ軸を中心とする１３０度の指向角を基準とし、ｘ軸に対し０度から３３０度を３０度ずつシフトするように１２通りの指向性をつけるため（すなわち指向角は１３０度一定で、ビームパターンの中心線がｘ軸に対し０度から３０度ずつシフトするような指向性をつけるため（従って図２（ｂ）のビームパターン２５は中心線０度の場合を示す））、ビーム形成回路４の位相・ゲインコントロール回路２６ａ〜２６ｉ用の指向性パラメータおよび無指向性（指向角３６０度）パラメータをＣＰＵ１３に記憶している。無線ＬＡＮ装置の電源が入った段階ではビーム形成回路４のパラメータを無指向性の状態に設定して、他の無線ＬＡＮ装置からの信号の存在の有無を検出する。
【００２３】
次に、ゾーンＩＤの確定について説明する。他の無線ＬＡＮ装置例えば無線ＬＡＮ装置Ｐからの信号が自装置としての無線ＬＡＮ装置例えば無線ＬＡＮ装置Ｑにあった場合、その信号の中から無線ＬＡＮ装置Ｐに固有の端末ＩＤと無線ＬＡＮ装置Ｐが属しているゾーンＩＤとを検出し、装置Ｑが持っているゾーンＩＤと装置ＰのゾーンＩＤとを比較する。ゾーンＩＤが同じならば自分のゾーンＩＤを確定し、次にゾーンの範囲確認を行う。ゾーンＩＤが装置ＰとＱとで異なる場合又はゾーンＩＤを示す信号がなかった場合、装置Ｑから装置Ｐへ確認信号を送信する。確認信号は、各無線ＬＡＮ装置に固有の端末ＩＤと確認であることを示すコードとから成る。この確認信号を受信した他の無線ＬＡＮ装置Ｐは応答信号を装置Ｑへ送信する。応答信号は、各無線ＬＡＮ装置に固有の端末ＩＤと応答であることを示すコードと自分が属しているゾーンＩＤとから成る。この応答信号は、各無線ＬＡＮ装置が同時に送信すると混信を起こすため、それぞれランダムに１０ｍｓから３００ｍｓの範囲で遅延時間をもった後に送信される。すなわち、装置Ｐは複数台の無線ＬＡＮ装置を意味する。自装置Ｑは、上記複数の応答信号に含まれるゾーンＩＤの中から自分が持っているゾーンＩＤと同じものがあるかどうかを判定する。同じＩＤがあれば自分のゾーンＩＤを確定し、次にゾーンの範囲確認を行う。自分が持っていたゾーンＩＤが複数の応答信号のゾーンＩＤの中に含まれていない場合、他の無線ＬＡＮ装置が持っているゾーンＩＤ、すなわち上記複数の応答信号に含まれる複数のゾーンＩＤの中から一番多いゾーンＩＤを自分のゾーンＩＤとして確定するとともに、同一ゾーン内の受信できた全ての端末ＩＤを自装置のＣＰＵ１３内のメモリに記憶する。
【００２４】
次に、ゾーンの範囲確認およびビームパターンの決定について説明する。ゾーンの範囲確認は、ｘ軸に対し０度のビームパターンからｘ軸に対し３３０度のビームパターンまでの１２通りについてそれぞれ確認信号を上記確定した同一ゾーン内の他の無線ＬＡＮ装置へ自装置から送信し、それぞれのビームパターンの応答信号のレベルを検出する。この応答信号のレベルが予め設定された基準レベルより低下したり、応答信号が受信できなくなった場合には、そのときの指向角の範囲には通信を行う他の無線ＬＡＮ装置は存在しないと判定する。この場合、１２通りのビームパターンの中から受信できたビームパターンに基づいて中心位置を算出し、その中心位置を基準位置としてアレイアンテナ３のビームパターンを決定する。全ての指向角すなわち全てのｘ軸に対する角度で応答信号が受信された場合、または他のゾーンＩＤが検出されなかった場合、妨害波はないものとしてビーム形成回路４は無指向性に設定される。
【００２５】
ゾーンは刻々変わる可能性があるため、各無線ＬＡＮ装置はそれぞれランダムに１０秒から３０秒の範囲で遅延時間をもって確認信号を送信し、ゾーンの確定およびゾーンの範囲確認を行う。或る無線ＬＡＮ装置例えば無線ＬＡＮ装置Ｐの自分のゾーン内に新たな他の無線ＬＡＮ装置が入ってきたり、無線ＬＡＮ装置Ｐが複数のゾーン内を移動したりすることがある。新たに他の無線ＬＡＮ装置が自分のゾーン内に入ってきた場合、無線ＬＡＮ装置Ｐは、ビームパターンの決定のため確認信号を送信する。確認信号に対する応答信号を受信できた場合には現在のビームパターンの変更は行わない。確認信号に対する応答信号を受信できず、同一ゾーン内の他の無線ＬＡＮ装置からの応答信号を受信できた場合には、ＣＰＵ１３はビーム形成回路４を無指向性に設定しなおし、改めてゾーンの範囲確認およびビームパターンの決定をやり直す。
【００２６】
レベル検出回路５は、通信の度に受信信号レベルを検出し、そのレベルを示すデータをＣＰＵ１３に送っているが、ＣＰＵ１３では、同一ゾーン内の全ての無線ＬＡＮ装置に対して最新の通信時の信号レベルを比較、記憶している。他の無線ＬＡＮ装置が自分のゾーン内を移動したり、自装置としての無線ＬＡＮ装置Ｐ自体が他のゾーン内に移動した場合は、他の無線ＬＡＮ装置との間の受信信号レベルが変化することになる。このレベル変化が一つの無線ＬＡＮ装置の受信信号レベルの変化である場合は他の無線ＬＡＮ装置が移動していると判断し、受信信号レベルの追跡を行う。このとき受信信号レベルが基準レベル以上であれば、現在のビームパターンで追跡し、基準レベル以下になると、ビーム形成回路４を無指向性に設定しなおし、改めて追跡を行う。この状態で、受信信号レベルの変化が無くなると、他の無線ＬＡＮ装置は移動を停止したと判断し、その時点でゾーンの範囲確認をやり直す。この状態で、受信信号レベルが基準レベル以下になると、他の無線ＬＡＮ装置は自分のゾーンの外へ移動したと判断し、他の無線ＬＡＮ装置に対応するメモリ内の端末ＩＤを消去し、ビーム形成回路４を以前のビームパターンにもどす。上記レベル変化が２つ以上の無線ＬＡＮ装置の受信信号レベルの変化である場合は自装置Ｐが移動していると判断し、ビーム形成回路４を無指向性に設定しなおし、改めて受信信号レベルの検出を行う。受信信号レベルの変化が無くなると、改めて確認信号によってゾーンの確定、ゾーンの範囲確認およびビームパターンの決定をやり直す。
【００２７】
なお、本実施例では、２．４ＧＨｚ帯でのスペクトル拡散通信方式（ＳＳ通信方式）を用いた場合について説明したが、周波数、変調方式共にこれに限定されるものではない。
【００２８】
以上のように本実施例によれば、定期的にポーリングを行い、同一ゾーン内の他の無線ＬＡＮ装置からの受信信号により電波到来方向を決定し、アレイアンテナのビームパターン中心（指向性中心）を電波到来方向に向けるようにしたので、ビームパターン中心は他のゾーン内の無線ＬＡＮ装置の方向へは向いておらず、従って、他のゾーン内の無線ＬＡＮ装置からのノイズの影響を受けず、また他のゾーン内の無線ＬＡＮ装置へ妨害波を送信することを防止することができる。
【００２９】
【発明の効果】
以上のように本発明は、複数のアンテナ素子を同一平面上に配列したアレイアンテナと、アレイアンテナのビームパターンを制御するビーム形成回路と、アレイアンテナのビームパターンに関するデータを記憶し、ビームパターンに関するデータをビーム形成回路に与える制御部とを有することにより、各種ビームパターンによるポーリングを定期的に行って同一ゾーン内の他の無線ＬＡＮ装置からの電波到来方向を決定し、アレイアンテナのビームパターン中心を上記電波到来方向に向けるようにすることができるので、ビームパターン中心を他のゾーン内の無線ＬＡＮ装置の方向へは向けないようにすることができ、従って、他のゾーン内の無線ＬＡＮ装置からのノイズの影響を受けず、また他のゾーン内の無線ＬＡＮ装置へ妨害波を送信することを防止することが可能な無線ＬＡＮ装置を実現することができる。
【００３０】
また、複数のアンテナ素子を同一平面上に配列したアレイアンテナと、アレイアンテナのビームパターンを制御するビーム形成回路と、アレイアンテナで受信した電波のレベルを検出する電波レベル検出回路と、アレイアンテナの複数のビームパターンで受信した電波のレベル差により電波到来方向を決定し、アレイアンテナのビームパターン中心を決定した電波到来方向に向ける制御部とを有することにより、アレイアンテナのビームパターン中心を電波到来方向に向けてビームパターン中心を他のゾーン内の無線ＬＡＮ装置の方向へは向けないようにすることができるので、他のゾーン内の無線ＬＡＮ装置からのノイズの影響を受けず、また他のゾーン内の無線ＬＡＮ装置へ妨害波を送信することのない無線ＬＡＮ装置を実現することができる。
【００３１】
さらに、複数のゾーンから成り、各ゾーンが上記無線ＬＡＮ装置の複数台を有することにより、上記効果を奏する無線ＬＡＮネットワークを実現することができる。
【図面の簡単な説明】
【図１】本発明の一実施例に係る無線ＬＡＮ装置を示すブロック図
【図２】（ａ）本発明の一実施例に係るアレイアンテナを構成するアンテナ素子の配列を示す素子配列図
（ｂ）本発明の一実施例に係るアレイアンテナのビームパターンの一例を示すパターン図
【図３】本発明の一実施例に係るビーム形成回路を示すブロック図
【図４】従来の無線ＬＡＮネットワークを示す構成図
【図５】従来の無線ＬＡＮ装置とパソコンとから成る端末装置を示す構成図
【図６】従来の無線ＬＡＮ装置を示すブロック図
【符号の説明】
１Ａ  アンテナ部
２Ａ  コントロール部
３  アレイアンテナ
３ａ〜３ｉ  アンテナ素子
４  ビーム形成回路
５  レベル検出回路
６、６ａ〜６ｆ  フィルタ
７  ＲＦスイッチ
８、１０、１８ａ、１８ｂ  アンプ
９ａ〜９ｄ  ミキサ
１１  ＳＡＷマッチドフィルタ
１２  判定回路
１３  ＣＰＵ（制御部）
１４  カードインタフェース回路
１５  変換回路
１６  変調回路
１７  ＰＮ発生回路
１９、２０  ＶＣＯ
２１  パワーアンプ
２３  誘電体基板
２４  座標系
２５  ビームパターン
２６ａ〜２６ｉ  位相・ゲインコントロール回路
２７  合成回路
【図１】
0003637110.tif 000002
【図２】
0003637110.tif 000003
【図３】
0003637110.tif 000004
【図４】
0003637110.tif 000005
【図５】
0003637110.tif 000006
【図６】
0003637110.tif 000007